(57)【特許請求の範囲】
【請求項１】
画像形成装置であって、
表示部と、
第１検知エリアと前記第１検知エリアより前記画像形成装置から遠くの位置を含む第２検知エリアを有する人体検知手段と、
所定のユーザ操作を受け付ける受付部と、
前記受付部の近傍に配置された発光部と、
前記受付部で受け付けた前記所定のユーザ操作に基づいて前記表示部が点灯するよう制御する、及び、前記人体検知手段の前記第１検知エリアで人が検知されたことに基づいて前記表示部が点灯するよう制御する表示制御手段と、
前記人体検知手段の前記第２検知エリアで人が検知されたことに基づいて前記発光部が視覚的に点滅又は点灯するよう制御する発光制御手段と、を備えることを特徴とする画像形成装置。
【請求項２】
前記表示部は、前記第２検知エリアで人が検知されたことに基づいては点灯しない、ことを特徴とする請求項１に記載の画像形成装置。
【請求項３】
前記表示制御手段は、前記人体検知手段の検知結果に基づいて、前記表示部が視覚的に消灯するよう制御する、ことを特徴とする請求項１又は２に記載の画像形成装置。
【請求項４】
前記発光制御手段は、前記第１検知エリアで人が検知されたことに基づいて前記発光部が視覚的に消灯するよう制御する、ことを特徴とする請求項１乃至３の何れか１項に記載の画像形成装置。
【請求項５】
前記表示制御手段は、前記第１検知エリアで所定時間継続して人が検知されたことに基づいて、前記表示部が点灯するよう制御する、ことを特徴とする請求項１乃至４の何れか１項に記載の画像形成装置。
【請求項６】
前記発光制御手段は、前記第２検知エリアで人が検知されたことに基づいて、前記発光部の視覚的な状態を点灯状態又は点滅状態に切り替える、ことを特徴とする請求項１乃至５の何れか１項に記載の画像形成装置。
【請求項７】
前記人体検知手段は、複数の検知部を有し、
前記発光制御手段は、前記複数の検知部のうちの１又は複数の検知部の検知結果に基づいて、前記第２検知エリアで人を検知したかどうかを判断し、且つ、前記複数の検知部のうちの前記１又は複数の検知部とは異なる１又は複数の検知部の検知結果に基づいて、前記第１検知エリアで人を検知したかどうかを判断する、ことを特徴とする請求項１乃至６の何れか１項に記載の画像形成装置。
【請求項８】
前記発光制御手段は、人が近付くにつれて前記発光部の輝度が段階的に高くなるように制御する、ことを特徴とする請求項１乃至７の何れか１項に記載の画像形成装置。
【請求項９】
前記人体検知手段は、焦電センサである、ことを特徴とする請求項１乃至８の何れか１項に記載の画像形成装置。
【請求項１０】
前記人体検知手段は、赤外線センサである、ことを特徴とする請求項１乃至８の何れか１項に記載の画像形成装置。
【請求項１１】
前記人体検知手段は、複数の赤外線センサ素子が配置された赤外線アレイセンサである、ことを特徴とする請求項１乃至８の何れか１項に記載の画像形成装置。
【請求項１２】
前記画像形成装置は、コピー機能、プリント機能、およびファックス機能の少なくとも１つの機能を有する、ことを特徴とする請求項１乃至１１の何れか１項に記載の画像形成装置。
【請求項１３】
前記表示制御手段は、前記受付部で受け付けた別のユーザ操作に基づいて前記表示部が消灯するよう制御する、ことを特徴とする請求項１乃至１２の何れか１項に記載の画像形成装置。
【請求項１４】
前記受付部は、前記表示部の近くに設けられる、ことを特徴とする請求項１乃至１３の何れか１項に記載の画像形成装置。
【請求項１５】
前記受付部は、透光性のボタンであり、
前記発光部は、前記透光性のボタンの下側に配置される、ことを特徴とする請求項１乃至１４の何れか１項に記載の画像形成装置。
【請求項１６】
少なくとも前記表示部及び前記受付部を有する操作部をさらに備え、
前記発光部は、前記操作部の筐体に設けられることを特徴とする請求項１乃至１４の何れか１項に記載の画像形成装置。
【請求項１７】
表示部と、第１検知エリアと前記第１検知エリアより画像形成装置から遠くの位置を含む第２検知エリアを有する人体検知手段と、所定のユーザ操作を受け付ける受付部と、前記受付部の近傍に配置された発光部と、を備える画像形成装置の制御方法であって、前記人体検知手段の第１検知エリアで人が検知されたことに基づいて、前記表示部を点灯する第１点灯ステップと、
前記受付部で受け付けた前記所定のユーザ操作に基づいて、前記表示部を点灯する第２点灯ステップと、
前記第１検知エリアより前記画像形成装置から遠くの位置を含む前記人体検知手段の第２検知エリアで人が検知されたことに基づいて前記発光部が視覚的に点滅又は点灯するよう制御する発光制御ステップと、を有することを特徴とする画像形成装置の制御方法。
【請求項１８】
前記表示部は、前記第２検知エリアで人が検知されたことに基づいては点灯しない、ことを特徴とする請求項１７に記載の画像形成装置の制御方法。
【請求項１９】
前記人体検知手段の検知結果に基づいて、前記表示部が消灯するよう制御する消灯ステップ、をさらに有する、ことを特徴とする請求項１７又は１８に記載の画像形成装置の制御方法。
【請求項２０】
前記第１検知エリアで人が検知されたことに基づいて前記発光部が視覚的に消灯するよう制御する消灯制御ステップ、をさらに有する、ことを特徴とする請求項１７乃至１９の何れか１項に記載の画像形成装置の制御方法。
【請求項２１】
画像形成装置であって、
表示部と、
第１検知エリアと前記第１検知エリアより前記画像形成装置から遠くの位置を含む第２検知エリアを有する人体検知手段と、
ユーザの認証情報を記憶する記憶媒体から前記認証情報を取得する取得部と、
前記取得部に配置された発光部と、
前記人体検知手段の前記第１検知エリアで人が検知されたことに基づいて前記表示部が点灯するよう制御する表示制御手段と、
前記人体検知手段の前記第２検知エリアで人が検知されたことに基づいて前記発光部が視覚的に点灯又は点滅するよう制御する発光制御手段と、を備えることを特徴とする画像形成装置。
【請求項２２】
前記表示制御手段は、前記人体検知手段の検知結果に基づいて、前記表示部が消灯するよう制御する、ことを特徴とする請求項２１に記載の画像形成装置。
【請求項２３】
前記表示部は、前記第２検知エリアで人が検知されたことに基づいては点灯しない、ことを特徴とする請求項２１又は２２に記載の画像形成装置。
【請求項２４】
前記発光制御手段は、前記第２検知エリアで人が検知されたことに基づいて前記発光部が視覚的に点灯又は点滅するよう制御し、前記第１検知エリアで人が検知されたことに基づいて前記発光部が視覚的に消灯するよう制御する、ことを特徴とする請求項２１乃至２３の何れか１項に記載の画像形成装置。
【請求項２５】
前記発光制御手段は、人が近付くにつれて前記発光部の輝度が段階的に高くなるように制御する、ことを特徴とする請求項２１乃至２４の何れか１項に記載の画像形成装置。
【請求項２６】
前記取得部は、携帯端末又はカードから前記認証情報を取得するＮＦＣ（Ｎｅａｒ  Ｆｉｅｌｄ  Ｃｏｍｍｕｎｉｃａｔｉｏｎ）装置である、ことを特徴とする請求項２１乃至２５の何れか１項に記載の画像形成装置。
【請求項２７】
前記取得部は、カードから前記認証情報を取得するカードリーダである、ことを特徴とする請求項２１乃至２５の何れか１項に記載の画像形成装置。
【請求項２８】
所定のユーザ操作を受け付ける受付部と、
前記受付部の近傍に配置された別の発光部と、をさらに備え、
前記表示制御手段は、前記受付部で受け付けた前記所定のユーザ操作に基づいて前記表示部が点灯するよう制御し、
前記発光制御手段は、前記第２検知エリアで人が検知されたことに基づいて前記別の発光部が視覚的に点灯又は点滅するよう制御する、ことを特徴とする請求項２１乃至２７の何れか１項に記載の画像形成装置。
【請求項２９】
前記人体検知手段は、焦電センサである、ことを特徴とする請求項２１乃至２８の何れか１項に記載の画像形成装置。
【請求項３０】
前記人体検知手段は、赤外線センサである、ことを特徴とする請求項２１乃至２８の何れか１項に記載の画像形成装置。
【請求項３１】
前記人体検知手段は、複数の赤外線センサ素子が配置された赤外線アレイセンサである、ことを特徴とする請求項２１乃至２８の何れか１項に記載の画像形成装置。
【請求項３２】
前記画像形成装置は、コピー機能、プリント機能、およびファックス機能の少なくとも１つの機能を有する、ことを特徴とする請求項２１乃至３１の何れか１項に記載の画像形成装置。
【請求項３３】
前記取得部は、前記表示部の近くに設けられる、ことを特徴とする請求項２１乃至３２の何れか１項に記載の画像形成装置。
【請求項３４】
表示部と、第１検知エリアと前記第１検知エリアより画像形成装置から遠くの位置を含む第２検知エリアを有する人体検知手段と、ユーザの認証情報を記憶する記憶媒体から前記認証情報を取得する取得部と、前記取得部に配置された発光部と、を備える画像形成装置の制御方法であって、
前記人体検知手段の前記第１検知エリアで人が検知されたことに基づいて、前記表示部を点灯する第１点灯ステップと、
前記人体検知手段の前記第２検知エリアで人が検知されたことに基づいて前記発光部が視覚的に点灯又は点滅するよう制御する発光制御ステップと、
前記取得部にかざされた記憶媒体から認証情報を取得する取得ステップと、を有することを特徴とする画像形成装置の制御方法。
【請求項３５】
前記人体検知手段の検知結果に基づいて、前記表示部が消灯するよう制御する消灯ステップをさらに有する、ことを特徴とする請求項３４に記載の画像形成装置の制御方法。
【請求項３６】
前記表示部は、前記第２検知エリアで人が検知されたことに基づいては点灯しない、ことを特徴とする請求項３４又は３５に記載の画像形成装置の制御方法。
【請求項３７】
前記第１検知エリアで人が検知されたことに基づいて前記発光部が視覚的に消灯するよう制御する消灯制御ステップ、をさらに有する、ことを特徴とする請求項３４乃至３６の何れか１項に記載の画像形成装置の制御方法。
【発明の詳細な説明】
【技術分野】
【０００１】
本発明は、周囲の人などの物体を検知する人体検知センサを備える画像形成装置等に関するものである。
【背景技術】
【０００２】
画像形成装置に設けられる節電ボタンをユーザが押下することによって、省電力状態の画像形成装置を通常電力状態に復帰させる技術が知られている。また、近年では、節電ボタンをユーザが押下しなくても、人体検知センサによって画像形成装置に近接した人を検知して、自動で省電力状態から通常電力状態に復帰する画像形成装置が提案されている（特許文献１参照）。
【０００３】
特許文献１には、検知範囲が異なる２つの人体検知センサを用いて、画像処理装置を省電力状態から通常電力状態に復帰させる技術が開示されている。特許文献１に開示される画像処理装置では、広範囲の検知範囲を有する第１の人体検知センサによって画像処理装置に近接する人が検知されると、第１の人体検知センサより検知範囲が狭い第２の人体検知センサが起動する。そして、起動した第２の人体検知センサによって人が検知されると、画像処理装置が省電力状態から通常電力状態に復帰する。
【０００４】
しかしながら、上記した特許文献１に開示される人体検知センサを用いた画像処理装置では、画像処理装置に対するユーザの立ち位置によっては自動的に省電力状態から通常電力状態に自動的に復帰できない場合がある。例えば、第２の人体検知センサの死角にユーザが存在する場合、当該第２の人体検知センサはユーザを検知することができない。このため、画像処理装置は自動的に省電力状態から通常電力状態に復帰することができない。
【０００５】
画像形成装置が自動的に省電力状態から通常電力状態に復帰しない場合、ユーザは、節電ボタンを押下することによって、画像形成装置を通常電力状態に復帰させる。しかしながら、人体検知センサによって自動的に復帰する画像処理装置の使用に慣れているユーザにとっては、手動で画像処理装置を通常電力状態に復帰させるための操作は慣れない操作となる。したがって、画像処理装置の前において、画像処理装置を通常電力状態に復帰させるための作業をユーザに強いることになる。
【先行技術文献】
【特許文献】
【０００６】
【特許文献１】特開２０１２−１７７９６号公報
【発明の概要】
【発明が解決しようとする課題】
【０００７】
本発明は、人体検知センサによって省電力状態から通常電力状態に自動的で復帰しない場合であっても、手動で通常電力状態に復帰させるためにユーザが操作すべき位置をユーザに認識させることが可能な画像形成装置などを提供することを目的とする。
【課題を解決するための手段】
【０００８】
本発明の画像形成装置は、表示部と、第１検知エリアと前記第１検知エリアより前記画像形成装置から遠くの位置を含む第２検知エリアを有する人体検知手段と、所定のユーザ操作を受け付ける受付部と、前記受付部の近傍に配置された発光部と、前記受付部で受け付けた前記所定のユーザ操作に基づいて前記表示部が点灯するよう制御する、及び、前記人体検知手段の前記第１検知エリアで人が検知されたことに基づいて前記表示部が点灯するよう制御する表示制御手段と、前記人体検知手段の前記第２検知エリアで人の存在が検知されたことに基づいて前記発光部が視覚的に点滅又は点灯するよう制御する発光制御手段と、を備えることを特徴とする。
【発明の効果】
【０００９】
本発明によれば、人体検知センサによって第２電力状態から第１電力状態に自動的で復帰しない場合であっても、手動で第２電力状態から第１電力状態に復帰させるためにユーザが操作すべき位置をユーザに認識させることができる。
【図面の簡単な説明】
【００１０】
【図１】第１実施形態の画像形成装置の全体構成図である。
【図２】画像形成装置の電源回路図である。
【図３】画像形成装置の操作部のハードブロック図である。
【図４】画像形成装置のセンサ部の検知エリアを示す図である。
【図５】画像形成装置のセンサ部の詳細を示す図である。
【図６】操作部の人感ＬＥＤ部の詳細を示す図である。
【図７】発光素子ＬＥＤが発光する様子を示す操作部の図である。
【図８】画像形成装置が通常電力状態から省電力状態に移行する場合の電源制御部の処理を示すフローチャートである。
【図９】省電力状態におけるセンサ部の解析回路の処理を示すフローチャートである。
【図１０】画像形成装置が省電力状態から通常電力状態に移行する場合の電源制御部の処理を示すフローチャートである。
【図１１】第２実施形態の画像形成装置のセンサ部の検知エリアを示す図である。
【図１２】第２実施形態の画像形成装置が省電力状態におけるセンサ部の解析回路の処理を示すフローチャートである。
【図１３】第２実施形態の画像形成装置の人感ＬＥＤ部の詳細を示す図である。
【図１４】第３実施形態の画像形成装置の人感ＬＥＤ部の詳細を示す図である。
【図１５】第３実施形態の画像形成装置の発光素子ＬＥＤが発光する様子を示す操作部の図である。
【図１６】第４実施形態の画像形成装置の発光素子ＬＥＤが発光する様子を示す操作部の図である。
【図１７】第４実施形態の画像形成装置のＮＦＣ部が発光する様子を示す図である。
【発明を実施するための形態】
【００１１】
以下、本発明を実施するための形態について図面を用いて説明する。
【００１２】
（第１実施形態）
＜画像形成装置の概略＞
図１は、本発明の第１実施形態の画像形成装置１００の概略図である。
【００１３】
画像形成装置１００は、スキャナ機能、プリント機能、ファックス機能などの複数の機能を有するＭＦＰ（Ｍｕｌｔｉｆｕｎｃｔｉｏｎ  Ｐｅｒｉｐｈｅｒａｌ）である。この画像形成装置１００は、上記したスキャナ機能やプリント機能を実行可能な通常電力状態（第１電力状態）、スキャナ機能やプリント機能を実行することができない省電力状態（第２電力状態）、などの複数の電力状態となる。省電力状態は、通常電力状態より消費電力量が小さい電力状態である。この省電力状態では、ネットワークからのデータを受信したり、後述する節電ボタン５１２をユーザが操作したりすることによって、通常電力状態に復帰することが可能である。
【００１４】
なお、画像形成装置１００は、上記した通常電力状態および省電力状態以外に、サスペンド状態又はハイバネーション状態となっても良い。サスペンド状態とは、画像形成装置１００が通常電力状態に高速で復帰可能な状態である。このサスペンド状態では、後述するメモリ部３１５への通電が維持された状態であって、メモリ部３１５に記憶されたサスペンド状態になる直前の画像形成装置１００の状態を用いて、画像形成装置１００を通常電力状態に高速復帰する。また、ハイバネーション状態も、画像形成装置１００が通常電力状態に高速で復帰可能な状態である。このハイバネーション状態では、電力状態が画像形成装置１００の各部への電力供給が停止される電源ＯＦＦ状態と同様であって、画像形成装置１００の各部への電力供給は停止される。ただし、電源ＯＦＦ状態と異なるのは、ハイバネーション状態に移行する直前の画像形成装置１００の状態が後述するＨＤＤ部３１６に記憶されることである。ハイバネーション状態から通常電力状態に復帰する場合には、ＨＤＤ部３１６に記憶された画像形成装置１００の状態を用いて、画像形成装置１００を通常電力状態に高速復帰する。
【００１５】
図１に示すように、画像形成装置１００は、メインコントローラ部１０１と、プリンタ部１０２と、スキャナ部１０３と、センサ部６００と、ＡＣプラグ１０５と、電源装置３００と、を備えている。プリンタ部１０２は、例えば電子写真方式に従ってシート状の記録媒体（用紙）に画像を形成する。スキャナ部１０３は、原稿から光学的に画像を読み取りデジタル画像への変換を行う。メインコントローラ部１０１は、画像形成装置１００の各部を制御する。また、メインコントローラ部１０１は、ネットワーク１０６を介して、ＰＣ１０７と接続されている。ネットワーク１０６は、ＵＳＢ（ユニバーサル・シリアル・バス）等のローカルエリアネットワーク（ＬＡＮ）やインターネットなどのワイドエリアネットワーク（ＷＡＮ）であり、有線または無線を問わない。なお、メインコントローラ部１０１の詳細は後述する。ＡＣプラグ１０５は、装置外部のコンセントに差し込まれる。画像形成装置１００は、ＡＣプラグ１０５を介して、交流商用電源から交流電源の供給を受ける。交流商用電源から交流電源の供給を受けた電源装置３００は、画像形成装置１００の各部に直流電源を供給する。また、本実施形態では、センサ部６００は、画像形成装置１００の周囲に存在する人などを検知するために設けられる。上記した、電源装置３００およびセンサ部６００の詳細は後述する。
【００１６】
画像形成装置１００には、ネットワーク１０６もしくはＵＳＢ等のローカルインターフェースを介して、ＰＣ１０７が通信可能に接続される。ＰＣ１０７は、ＣＰＵ、ＲＡＭ、ＨＤＤ等の固定記憶装置を有し、モニタ、キーボード、マウス等が接続された一般的なコンピュータ装置である。このＰＣ１０７には、プリンタドライバプログラムがインストールされている。プリンタドライバプログラムがＰＣ１０７で実行されると、ＰＣ１０７は、オペレーティングシステムやアプリケーションプログラムが発行する描画命令に従って、ＰＤＬデータを生成し、画像形成装置１００に送信する。ＰＤＬデータとは、プリンタドライバプログラムによって画像形成装置１００が処理可能なページ記述言語に変換されたデータである。画像形成装置１００は、ＰＣ１０７から受信したＰＤＬデータに基づいて、ビットマップ画像を生成する。そして、プリンタ部１０２は、生成されたビットマップ画像に基づいて、用紙に画像を形成する。
【００１７】
図２は、図１に示した第１実施形態の画像形成装置のメインコントローラ部および電源装置の詳細を示したハードブロック図である。
【００１８】
＜電源系統について＞
図２に示すように、メインコントローラ部１０１は、通常電力状態および省電力状態で電力が供給される電源系統Ａと、通常電力状態では電力供給されるが省電力状態では電力供給が停止される電源系統Ｂと、に分離される。メインコントローラ部１０１の電源制御部３１２、ネットワーク処理部３１３、タイマ部３１４、メモリ部３１５、及び上記したセンサ部６００は、電源系統Ａに属する。また、メインコントローラ部１０１のＨＤＤ部３１６、ＣＰＵ部３１７、および画像処理部３１８は、電源系統Ｂに属する。なお、ユーザの操作を受け付ける操作部５００の一部は電源系統Ａに属し、残りの一部は電源系統Ｂに属する。
【００１９】
＜メインコントローラ部について＞
メインコントローラ部１０１は、電源制御部３１２、ネットワーク処理部３１３、タイマ部３１４、メモリ部３１５、ＨＤＤ部３１６、ＣＰＵ部３１７、画像処理部３１８を有している。
【００２０】
電源制御部３１２は、画像形成装置１００の各部に供給される電力の供給及び遮断を制御する。電源制御部３１２は、後述する電源装置３００のリレーのオン／オフを制御する。電源制御部３１２が当該リレー３０１をオフ状態にすることによって、電源系統Ｂ、プリンタ部１０２およびスキャナ部１０３への電力供給が停止されて、画像形成装置１００が省電力状態となる。なお、メインスイッチＳＷがユーザの操作によってオフになると、電源系統Ａへの電力供給が停止される。
【００２１】
ネットワーク処理部３１３は、ネットワーク１０６を介してＰＣ１０７から送信されるＰＤＬデータを受信したり、ネットワーク１０６に対して画像形成装置１００の構成情報を送信したりする。このネットワーク処理部３１３は、電源制御部３１２と通信可能に接続されている。ネットワーク処理部３１３は、省電力状態で、ネットワーク処理部３１３がネットワーク１０６を介して画像形成装置１００宛てのネットワークパケット等を受信すると、電源制御部３１２に対して起動信号を出力する。起動信号を受信した電源制御部３１２は、リレー３０１をオン状態にすることによって、画像形成装置１００を省電力状態から通常電力状態に復帰する。また、ＵＳＢなどのローカルインターフェースを介してデータを受信した場合も同様に、当該ローカルインターフェースが電源制御部３１２に対して起動信号を出力する。
【００２２】
タイマ部３１４は、時間を計時する。このタイマ部３１４は、画像形成装置１００が通常電力状態から省電力状態に移行するために計時される所定時間を計時するために用いられる。
【００２３】
メモリ部３１５は、ＤＤＲＳＤＲＡＭ等の揮発性メモリであり、ＣＰＵ部３１７で実行する制御プログラム等によって作成されたユーザデータなどを格納するメインメモリである。なお、上記したサスペンド状態では、当該メモリ部３１５への通電は維持される。
【００２４】
ＨＤＤ部３１６は、ＣＰＵ部３１７が実行するプログラムやネットワーク１０６から送信されたＰＤＬデータを一時的に格納するための記憶装置である。
【００２５】
ＣＰＵ部３１７は、画像形成装置１００の各部の制御を行う中央演算装置である。このＣＰＵ部３１７は、ＨＤＤ部３１６に格納されている制御プログラムに基づいて、画像形成装置１００のコピー機能やプリント機能等を実行する。
【００２６】
画像処理部３１８は、ＣＰＵ部３１７、プリンタ部１０２およびスキャナ部１０３と通信可能に接続されている。画像処理部３１８は、スキャナ部１０３で読み取られた画像データ、およびＰＣ１０７から受信したＰＤＬデータに基づいて生成した画像データ、に色空間変換などの画像処理を行う。そして、画像処理部３１８は、画像処理された画像データをビットマップデータに変換する。ビットマップデータは、プリンタ部１０２に出力されて、プリンタ部１０２が当該ビットマップデータに基づいて用紙に画像を形成する。
【００２７】
＜電源装置について＞
図２に示すように、電源装置３００は、メインスイッチＳＷと、リレー３０１と、電源部３０２と、電源供給部３０６と、電源供給部（電源系統Ａ）３０５と、を備えている。
【００２８】
メインスイッチＳＷは、ユーザによってオン状態およびオフ状態がトグル式に切り替わるシーソースイッチである。当該メインスイッチＳＷをユーザがオフ状態にすることによって、画像形成装置の各部への電力供給が停止される電源オフ状態となる。
【００２９】
リレー３０１は、電源制御部３１２の制御によりオン状態又はオフ状態になる。リレー３０１がオン状態になると、ＡＣプラグ１０５を介して、電源部３０２（高電圧電源部３０３、低電圧電源部３０４）に交流電源が供給される。なお、このリレー３０１は、電磁誘導によってオン状態又はオフ状態になるメカニカルなリレーであってもよいし、半導体スイッチであっても良い。
【００３０】
電源部３０２は、高電圧電源部３０３及び低電圧電源部３０４を含む。高電圧電源部３０３は、ＡＣプラグ１０５を介して入力される交流電源を直流電源に変換して、例えば２４Ｖの電圧を出力する。また、低電圧電源部３０４は、ＡＣプラグ１０５を介して入力される交流電源を直流電源に変換して、例えば１２Ｖの電圧を出力する。高電圧電源部３０３は、プリンタ部１０２やスキャナ部１０３のモータ駆動用電源や定着部のヒータ等で使用される電源である。低電圧電源部３０４は、プリンタ部１０２やスキャナ部１０３の制御部、及びメインコントローラ部１０１の電源系統Ｂで使用される電源である。
【００３１】
電源供給部３０６は、スキャナ部電源供給部３０７、プリンタ部電源供給部３０８、および電源供給部（電源系統Ｂ）３０９を有している。スキャナ部電源供給部３０７は、高電圧電源部３０３を入力源として、スキャナ部１０３の駆動系に電力を供給する。また、スキャナ部電源供給部３０７は、低電圧電源部３０４を入力源として、スキャナ部１０３の制御部に電力を供給する。プリンタ部電源供給部３０８は、高電圧電源部３０３を入力源として、プリンタ部１０２の駆動系に電力を供給する。また、プリンタ部電源供給部３０８は、低電圧電源部３０４を入力源として、プリンタ部１０２の制御部に電力を供給する。電源供給部（電源系統Ｂ）３０９は、低電圧電源部３０４を入力源として、メインコントローラ部１０１の電源系統Ｂに電力を供給する。
【００３２】
電源供給部（電源系統Ａ）３０５は、交流電源を直流電源に変換して、電源系統Ａ（センサ部６００、電源制御部３１２、ネットワーク処理部３１３、タイマ部３１４、メモリ部３１５）に、例えば３．３Ｖの電圧を出力する。
【００３３】
＜操作部について＞
図３は、図１に示した第１実施形態の画像形成装置の操作部５００の詳細を示したハードブロック図である。
【００３４】
操作部５００は、画像形成装置１００の各種設定画面などを表示する表示ユニット５２４、およびユーザによって操作されるキー部５２５などを有している。
【００３５】
操作部５００は、電源系統Ａと電源系統Ｂとに分離される。
【００３６】
操作部５００の主電源ＬＥＤ５１１、節電ボタン５１２（復帰手段）および人感ＬＥＤ部５１３は、電源系統Ａに属する。また、操作部５００のマイコン５２１、タッチパネルコントローラ５２２、ＬＣＤコントローラ５２３、表示ユニット５２４、キー部５２５、ブザー５２６および通知ＬＥＤ部５２７は、電源系統Ｂに属する。
【００３７】
主電源ＬＥＤ５１１は、画像形成装置１００が通常電力状態および省電力状態の場合に点灯するＬＥＤである。
【００３８】
節電ボタン５１２は、通常電力状態の画像形成装置１００を省電力状態に移行させるためのボタンである。また、節電ボタン５１２は、省電力状態の画像形成装置１００を通常電力状態に移行させるためのボタンでもある。ユーザは、当該節電ボタン５１２を押下することによって、画像形成装置１００を省電力状態から通常電力状態に、又は、通常電力状態から省電力状態に移行させることができる。この節電ボタン５１２は、電源制御部３１２に接続されており、当該節電ボタン５１２が押下されたことが電源制御部３１２に通知される。この通知を受信した電源制御部３１２は、リレー３０１をオンまたはオフ切り替える。
【００３９】
人感ＬＥＤ部（通知手段）５１３は、センサ部６００によって画像形成装置１００の周知の人などの物体が検知された場合に、点灯する。なお、この人感ＬＥＤ部５１３の詳細は後述する。
【００４０】
マイコン５２１は、操作部５００の各部の動作を制御する。また、マイコン５２１は、メインコントローラ部１０１のＣＰＵ部３１７と通信可能に接続されている。
【００４１】
表示ユニット５２４は、画像を表示するＬＣＤパネルと当該ＬＣＤパネルの表面に設けられるタッチパネルとを有している。
【００４２】
タッチパネルコントローラ５２２は、表示ユニット５２４のＬＣＤパネルの表面に設けられるタッチパネルへの入力を受信する。
【００４３】
ＬＣＤコントローラ５２３は、表示ユニット５２４のＬＣＤパネルに画像が表示されるようにＬＣＤパネルを制御する。
【００４４】
キー部５２５は、印刷部数を入力するためのテンキーやコピー機能の実行を開始するためのスタートキーなどを含んでいる。
【００４５】
ブザー５２６は、エラー発生時などに音声を出力する。
【００４６】
通知ＬＥＤ部５２７は、画像処理装置１００がジョブ実行中であることや画像処理装置１００にエラーが発生していることを通知するＬＥＤである。
【００４７】
＜センサ部について＞
図４は、センサ部６００の検知エリアを示す図である。
【００４８】
センサ部６００は、センサ部６００が物体を検知可能な範囲である検知エリア１（第１検知範囲）と、検知エリア１より範囲が狭い検知エリア２（第２検知範囲）と、を有している。検知エリア２で物体が検知されると、省電力状態の画像形成装置１００は通常電力状態に復帰する。
【００４９】
図５は、センサ部６００の詳細を示す図である。
【００５０】
図５に示すように、センサ部６００は、人体検知センサ６０１と解析回路６０２とを有している。センサ部６００は、電源系統Ａに属しており、省電力状態において電源供給部（電源系統Ａ）３０５から電力が供給される。
【００５１】
人体検知センサ６０１は、赤外線を放射しその反射光を検知する反射形の赤外線センサがマトリクス状に配列された赤外線アレイセンサである。この人体検知センサ６０１は、５列×５行で配列された合計２５個の赤外線センサ素子（赤外線センサ素子Ａ１−Ａ５、Ｂ１−Ｂ５、Ｃ１−Ｃ５、Ｄ１−Ｄ５およびＥ１−Ｅ５）を含む。なお、人体検知センサ６０１は、上記した赤外線アレイセンサに限定されない。例えば、人体検知センサ６０１は、赤外線センサをライン状に配列した赤外線ラインセンサであっても良い。また、人体検知センサ６０１は、人から放射される赤外線を感知しその変化量によって人の有無を判断する焦電センサをマトリクス状に配列した焦電アレイセンサであっても良いし、焦電センサをライン状に配列した焦電ラインセンサであっても良い。また、人体検知センサ６０１は、上記した赤外線センサと焦電センサとから構成されても良い。また、人体検知センサ６０１としてカメラを利用しても良い。
【００５２】
上記した検知エリア１は、人体検知センサ６０１の赤外線センサ素子Ａ１−Ａ５、Ｂ１−Ｂ５、Ｃ１−Ｃ５、Ｄ１−Ｄ５およびＥ１−Ｅ５によって検知される領域の集合領域である。また、検知エリア２は、人体検知センサ６０１の赤外線センサ素子Ｃ３、Ｅ３およびＤ３によって検知される領域の集合領域である。なお、検知エリア２は、人体検知センサ６０１の特定の赤外線センサ素子（例えば、赤外線センサ素子Ｅ３）によって検知される領域であっても良い。なお、検知エリアと赤外線センサ素子との対応は、ユーザによって適宜選択可能である。
【００５３】
解析回路６０２は、マイコン等のプロセッサやメモリを有する小規模なデータ処理回路であって、人体検知センサ６０１から検知信号を受信して、物体が検知されたエリアを特定する。この解析回路６０２は、後述する検知エリア１で物体を検知したと判断した場合、人感ＬＥＤ部５１３の発光素子ＬＥＤが点灯されるように、人感ＬＥＤ部５１３にＨｉレベルの点灯信号を出力する。また、解析回路６０２は、後述する検知エリア２で物体を検知したと判断した場合、画像形成装置１００が省電力状態から通常電力状態に復帰するように、電源制御部３１２に起動信号を出力する。
【００５４】
＜人感ＬＥＤ部について＞
図６は、人感ＬＥＤ部５１３の詳細を示す図である。
【００５５】
図６に示すように、人感ＬＥＤ部５１３は、トランジスタＴｒ１、トランジスタＴｒ２、発光素子ＬＥＤ（発光部）および抵抗Ｒを有している。
【００５６】
画像形成装置１００が省電力状態の場合には、メインコントローラ部１０１の電源制御部３１２から人感ＬＥＤ部５１３のトランジスタＴｒ１にＨｉレベルの通電信号が入力される。これにより、トランジスタＴｒ１がＯＮ状態となる。これにより、発光素子ＬＥＤのアノードに電源系統Ａの電圧が印加される。
【００５７】
そして、検知エリア１で物体が検知される場合、解析回路６０２からトランジスタＴｒ２にＨｉレベルの点灯信号が入力される。これにより、ＬＥＤのカソードがグランド電位となる。これにより、発光素子ＬＥＤが点灯する。
【００５８】
検知エリア１で物体が検知されなくなる場合、解析回路６０２からトランジスタＴｒ２にはＬｏｗレベルの点灯信号が入力される。これにより、ＬＥＤが消灯する。
【００５９】
また、画像形成装置１００が通常電力状態の場合、電源制御部３１２からトランジスタＴｒ１にＬｏｗレベルの通電信号が入力されて、トランジスタＴｒ１がＯｆｆ状態となる。これにより、発光素子ＬＥＤのアノードに電源系統Ａの電圧が印加されなくなり、ＬＥＤが消灯する。
【００６０】
＜ＬＥＤの点灯について＞
図７に示すように、人感ＬＥＤ部５１３の発光素子ＬＥＤは、透光性の節電ボタン５１２の内部に設置される。画像形成装置１００が省電力状態で、且つ、物体が人体検知センサ６０１の検知エリア１で検知される場合に、発光素子ＬＥＤは、点灯する。物体が、人体検知センサ６０１の検知エリア１で検知されなくなった場合には、発光素子ＬＥＤは消灯する。なお、ここでは、発光素子ＬＥＤが点灯する例について説明したが、人感ＬＥＤ部５１３に点灯コントロール回路を設けることによって、発光素子ＬＥＤを点滅させても良い。さらに、当該点灯コントロール回路によって点滅間隔を可変にしても良い。また、人感ＬＥＤ部５１３にＰＷＭ制御回路を設けることによって、発光素子ＬＥＤの輝度を可変にしても良い。これにより、節電ボタン５１２の位置を、発光素子ＬＥＤの点灯態様によって強調することができる。
【００６１】
＜電源制御部の動作フロー（通常電力状態⇒省電力状態）＞
次に、電源制御部３１２は、ＨＤＤ部３１６に記憶される図８のフローチャートに基づく制御プログラムを実行することにより、下記の処理を実行する。
【００６２】
図８に示すように、電源制御部３１２は、画像形成装置１００が通常電力状態から省電力状態に移行する条件が満たされたか否かを判断する（Ｓ１０１）。
【００６３】
なお、画像形成装置１００が通常電力状態から省電力状態に移行する条件は、
（ｉ）画像形成装置１００の操作部５００が所定時間継続して操作されないこと
（ｉｉ）ネットワーク１０６を介してＰＣ１０７などの外部装置から所定時間継続してデータを受信しないこと
（ｉｉｉ）操作部５００の節電ボタン５１２が押下されること
である。
【００６４】
本実施形態の画像形成装置１００は、上記した条件（ｉ）および（ｉｉ）の両方が満たされた場合、又は、上記した条件（ｉｉｉ）が満たされた場合に、画像形成装置１００が通常電力状態から省電力状態に移行する。
【００６５】
上記した条件（ｉ）および（ｉｉ）の両方が満たされた場合、又は、上記した条件（ｉｉｉ）が満たされた場合（Ｓ１０１：Ｙｅｓ）、電源制御部３１２は、電源装置３００のリレー３０１をオフにする（Ｓ１０２）。これにより、交流電源から電源部３０２へ電力供給が停止される。よって、電源系統Ｂに属するメインコントローラ部１０１の各部、操作部５００の一部、プリンタ部１０２およびスキャナ部１０３への電力の供給が停止されて、画像形成装置１００が省電力状態になる。
【００６６】
また、本実施形態では、電源制御部３１２は、人感ＬＥＤ部５１３のトランジスタＴｒ１にＨｉレベルの通電信号を出力することによって、トランジスタＴｒ１をオン状態にスイッチングする。これにより、発光素子ＬＥＤのアノードに電圧が印加されて、発光素子ＬＥＤが点灯可能な状態となる。
【００６７】
＜解析回路の判断フロー＞
次に、解析回路６０２に含まれるマイコンなどのプロセッサは、センサ部６００のメモリに記憶される図９のフローチャートに基づく制御プログラムを実行することにより、下記の処理を実行する。
【００６８】
電源系統Ａに属する解析回路６０２を含むセンサ部６００は、省電力状態で電源装置３００から電力が供給される。以下の各ステップは、画像形成装置１００が省電力状態のときに実行される。
【００６９】
解析回路６０２のプロセッサは、人体検知センサ６０１が物体を検知したかどうかを判断する（Ｓ２０１）。具体的には、解析回路６０２のプロセッサは、人体検知センサ６０１から検知信号を受信した場合には、解析回路６０２のプロセッサは、人体検知センサ６０１が物体を検知したと判断する（Ｓ２０１：Ｙｅｓ）。人体検知センサ６０１が物体を検知したと解析回路６０２のプロセッサが判断した場合には（Ｓ２０１：Ｙｅｓ）、解析回路６０２のプロセッサは、どのエリアで物体を検知したかを判断する（Ｓ２０２）。解析回路６０２のプロセッサが検知エリア１で物体を検知したと判断した場合、解析回路６０２のプロセッサは、人感ＬＥＤ部５１３のトランジスタＴｒ２にＨｉレベルの点灯信号を出力する（Ｓ２０３）。解析回路６０２のプロセッサは、検知エリア１で物体が検知され続ける間、トランジスタＴｒ２にＨｉレベルの点灯信号を出力し続ける。これにより、トランジスタＴｒ２がオン状態にスイッチングされる。その結果、発光素子ＬＥＤが発光して、節電ボタン５１２が強調される。
【００７０】
そして、解析回路６０２のプロセッサが検知エリア２で物体を検知したと判断した場合、解析回路６０２のプロセッサは、所定時間（例えば、１００ｍｓ）経過するまで待機する（Ｓ２０４）。検知エリア２で物体が検知されたとき、発光素子ＬＥＤは消灯する。所定時間経過した後、解析回路６０２のプロセッサが検知エリア２で物体を検知したか否かを判断する（Ｓ２０５）。所定時間経過後に、解析回路６０２のプロセッサが検知エリア２で再度物体を検知した場合（Ｓ２０５）、解析回路６０２のプロセッサは、起動信号を電源制御部３１２へ出力する（Ｓ２０６）。
【００７１】
電源制御部３１２は、上記した解析回路６０２のプロセッサからの起動信号を受信すると、電源装置３００のリレー３０１をオン状態にする。これにより、画像形成装置１００が省電力状態から通常電力状態に復帰する。
【００７２】
＜電源制御部の動作フロー（省電力状態⇒通常電力状態）＞
次に、電源制御部３１２は、ＨＤＤ部３１６に記憶される図１０のフローチャートに基づく制御プログラムを実行することにより、下記の処理を実行する。
【００７３】
図１０に示すように、電源制御部３１２は、画像形成装置１００が省電力状態から通常電力状態に移行する条件が満たされたか否を判断する（Ｓ３０１）。
【００７４】
なお、画像形成装置１００が省電力状態から通常電力状態に移行する条件は、
（Ａ）検知エリア２で物体が検知されること
（Ｂ）ネットワーク１０６を介してＰＣ１０７などの外部装置からデータを受信すること
（Ｃ）節電ボタン５１２が押下されること
である。
【００７５】
本実施形態の画像形成装置１００は、上記した条件（Ａ）、（Ｂ）および（Ｃ）のいずれか１つが満たされた場合に、画像形成装置１００が省電力状態から通常電力状態に移行する。
【００７６】
上記した条件（Ａ）、（Ｂ）および（Ｃ）のいずれか１つが満たされた場合、電源制御部３１２は、電源装置３００のリレー３０１がオン状態になるように制御する。これにより、交流電源から電源部３０２および電源供給部３０６へ電力が供給される。よって、電源系統Ｂに属するメインコントローラ部１０１の各部、操作部５００の一部、プリンタ部１０２およびスキャナ部１０３への電力の供給が開始されて、画像形成装置１００が通常電力状態になる。
【００７７】
また、本実施形態では、電源制御部３１２は、人感ＬＥＤ部５１３のトランジスタＴｒ１にＬｏｗレベルの通電信号を出力することによって、トランジスタＴｒ１をオフ状態にスイッチングする。これにより、発光素子ＬＥＤのアノードへの電圧の印加がなくなり、発光素子ＬＥＤが点灯不能（人体検知センサ６０１により検知エリア１で物体が検知されてＨｉレベルの点灯信号が入力されても発光素子ＬＥＤが発光しない状態）になる。
【００７８】
（第２実施形態）
上記した第１実施形態では、人体検知センサ６０１の検知エリアを検知エリア１と検知エリア２との２つに分ける例について説明した。この第２実施形態では、人体検知センサ６０１の検知エリアを第１実施形態より細分化する例について説明する。なお、第１実施形態と重複する部分の説明は割愛する。
【００７９】
図１１は、本発明の第２実施形態の人体検知センサ６０１の検知エリアを示す図である。
【００８０】
第２実施形態では、第１実施形態の検知エリア１が、検知エリア１−１、検知エリア１−２、および検知エリア１−３に細分されている。検知エリア２は、第１実施形態と同様で、物体を検知した場合に画像形成装置１００を省電力状態から通常電力状態に復帰させる範囲である。
【００８１】
なお、第２実施形態の人体検知センサ６０１として利用するセンサが、複数のセンサを含み、複数のセンサが各検知エリアを検知するものであっても良い。また、人体検知センサ６０１は、センサ素子がマトリクス状又はライン状に配列されたアレイセンサで各検知エリアを検知するものであっても良い。
【００８２】
＜解析回路の判断フロー＞
次に、解析回路６０２に含まれるマイコンなどのプロセッサは、センサ部６００のメモリに記憶される図１２のフローチャートに基づく制御プログラムを実行することにより、下記の処理を実行する。
【００８３】
電源系統Ａに属する解析回路６０２を含むセンサ部６００は、省電力状態で電源装置３００から電力が供給される。以下の各ステップは、画像形成装置１００が省電力状態のときに実行される。
【００８４】
解析回路６０２は、人体検知センサ６０１が物体を検知したかどうかを判断する（Ｓ１００１）。具体的には、解析回路６０２は、人体検知センサ６０１から検知信号を受信した場合には、解析回路６０２は、人体検知センサ６０１が物体を検知したと判断する（Ｓ１００１：Ｙｅｓ）。人体検知センサ６０１が物体を検知したと解析回路６０２が判断した場合には（Ｓ１００１：Ｙｅｓ）、解析回路６０２は、どのエリアで物体を検知したかを判断する（Ｓ１００２、Ｓ１００３）。解析回路６０２が検知エリア１−１で物体を検知したと判断した場合（Ｓ１００３：検知エリア１−１）、解析回路６０２は、Ｈｉレベルの点灯信号Ａを、後述するトランジスタＴｒ２に出力する（Ｓ１００４）。また、解析回路６０２が検知エリア１−２で物体を検知したと判断した場合、解析回路６０２は、Ｈｉレベルの点灯信号Ｂを、後述するトランジスタＴｒ３に出力する（Ｓ１００５）。また、解析回路６０２が検知エリア１−３で物体を検知したと判断した場合、解析回路６０２は、Ｈｉレベルの点灯信号Ｃを、後述するトランジスタＴｒ４に出力する（Ｓ１００６）。
【００８５】
そして、解析回路６０２が検知エリア２で物体を検知したと判断した場合、解析回路６０２は、所定時間（例えば、１００ｍｓ）経過するまで待機する（Ｓ１００７）。所定時間経過した後、解析回路６０２が検知エリア２で物体を検知したか否かを判断する（Ｓ１００８）。所定時間経過後に、解析回路６０２が検知エリア２で再度物体を検知した場合（Ｓ１００８：Ｙｅｓ）、解析回路６０２は、起動信号を電源制御部３１２へ出力する（Ｓ１００９）。
【００８６】
電源制御部３１２は、上記した解析回路６０２からの通知を受信すると、電源装置３００のリレー３０１をオン状態にする。これにより、画像形成装置１００が省電力状態から通常電力状態に復帰する。
【００８７】
次に、第２実施形態の画像処理装置１００が備える人感ＬＥＤ部５１３の詳細を説明する。
【００８８】
図１３に示すように、人感ＬＥＤ部５１３は、トランジスタＴｒ１、Ｔｒ２、Ｔｒ３、Ｔｒ４、発光素子ＬＥＤ、抵抗Ｒ１、Ｒ２、Ｒ３を有している。トランジスタＴｒ１、Ｔｒ２、Ｔｒ３、Ｔｒ４は直列に接続される。また、抵抗Ｒ２は、トランジスタＴｒ３に並列に接続され、抵抗Ｒ３は、トランジスタＴｒ４に並列に接続される。
【００８９】
人体検知センサ６０１によって検知エリア１−１で物体が検知されると、トランジスタＴｒ２にＨｉレベルの点灯信号Ａが入力されて、トランジスタＴｒ２がオン状態となる。この際、トランジスタＴｒ３およびＴｒ４は、オフ状態となっている。これにより、抵抗Ｒ１、Ｒ２およびＲ３の合計抵抗値に応じた電流が発光素子ＬＥＤに流れて、発光素子ＬＥＤが発光する。
【００９０】
また、人体検知センサ６０１によって検知エリア１−２で物体が検知されると、トランジスタＴｒ２に加えてトランジスタＴｒ３にＨｉレベルの点灯信号Ｂが入力されて、トランジスタＴｒ２に加えてトランジスタＴｒ３がオン状態となる。検知エリア１−２が検知エリア１−１に含まれる領域であるので、トランジスタＴｒ２およびトランジスタＴｒ３の両方がオン状態となる。この際、トランジスタＴｒ４は、オフ状態となっている。これにより、抵抗Ｒ１およびＲ３の合計抵抗値に応じた電流が発光素子ＬＥＤに流れて、発光素子ＬＥＤが発光する。検知エリア１−２で物体が検知されたときの発光素子ＬＥＤの輝度は、検知エリア１−１で物体が検知されたときの発光素子ＬＥＤの輝度より、大きい。
【００９１】
また、人体検知センサ６０１によって検知エリア１−３で物体が検知されると、トランジスタＴｒ２及びＴｒ３に加えてトランジスタＴｒ４にＨｉレベルの点灯信号Ｃが入力されて、トランジスタＴｒ２及びＴｒ３に加えてトランジスタＴｒ４がオン状態となる。検知エリア１−３が検知エリア１−２に含まれる領域であるので、トランジスタＴｒ２、Ｔｒ３およびＴｒ４の全てがオン状態となる。これにより、抵抗Ｒ１の抵抗値に応じた電流が発光素子ＬＥＤに流れて、発光素子ＬＥＤが発光する。検知エリア１−３で物体が検知されたときの発光素子ＬＥＤの輝度は、検知エリア１−１および１−２で物体が検知されたときの発光素子ＬＥＤの輝度より、大きい。
【００９２】
つまり、物体が画像形成装置１００に近づくにつれて、発光素子ＬＥＤが段階的に明るくなる。
【００９３】
第２実施形態では、ユーザが画像形成装置１００に近づくにつれて節電ボタン５１２の内部の発光素子ＬＥＤの輝度が大きくなるので、ユーザは、節電ボタン５１２の位置を容易に把握することができる。これにより、画像形成装置が自動的に通常電力状態に復帰しない場合でも、通常電力状態に移行させるためのボタンを探すことなく、ユーザは当該節電ボタン５１２を押下することができる。
【００９４】
＜第３実施形態＞
上記した第１実施形態および第２実施形態では、発光素子ＬＥＤを節電ボタン５１２の内部に配置する例について説明した。この第３実施形態では、節電ボタン５１２の近傍に発光素子ＬＥＤを設ける例について説明する。
【００９５】
図１４に示すように、第３実施形態の画像形成装置の操作部５００には、発光素子ＬＥＤ１０、ＬＥＤ２０およびＬＥＤ３０が設けられている。発光素子ＬＥＤ１０、ＬＥＤ２０およびＬＥＤ３０は、ライン状に配置されている。この発光素子ＬＥＤ１０は、複数の発光素子ＬＥＤ１０、ＬＥＤ２０、ＬＥＤ３０の中で節電ボタン５１２から最も離れて配置され、発光素子ＬＥＤ３０は、複数の発光素子ＬＥＤ１０、ＬＥＤ２０、ＬＥＤ３０の中で節電ボタン５１２から最も近くに配置される。
【００９６】
次に、上記した発光素子ＬＥＤ１０、ＬＥＤ２０およびＬＥＤ３０を有する人感ＬＥＤ部５１３の詳細について説明する。
【００９７】
図１５に示すように、第３実施形態の人感ＬＥＤ部５１３は、トランジスタＴｒ１、Ｔｒ１０、Ｔｒ２０、Ｔｒ３０、発光素子ＬＥＤ１０、発光素子ＬＥＤ２０、発光素子ＬＥＤ３０、抵抗Ｒ１０、Ｒ２０、Ｒ３０を有している。トランジスタＴｒ１０、Ｔｒ２０、Ｔｒ３０は並列に接続される。また、抵抗Ｒ１０、トランジスタＴｒ１０および発光素子ＬＥＤ１０は、直列に接続される。また、抵抗Ｒ２０、トランジスタＴｒ２０および発光素子ＬＥＤ２０は、直列に接続される。また、抵抗Ｒ３０、トランジスタＴｒ３０および発光素子ＬＥＤ３０は、直列に接続される。
【００９８】
第３実施形態の画像形成装置１００の人体検知センサ６０１の検知エリアは、第２実施形態と同様である。
【００９９】
人体検知センサ６０１によって検知エリア１−１で物体が検知されると、トランジスタＴｒ１０にＨｉレベルの点灯信号Ａが入力されて、トランジスタＴｒ１０がオン状態となる。この際、トランジスタＴｒ２０およびＴｒ３０は、オフ状態となっている。これにより、発光素子ＬＥＤ１０に電流が流れて、節電ボタン５１２から最も離れた発光素子ＬＥＤ１０が発光する。
【０１００】
また、人体検知センサ６０１によって検知エリア１−２で物体が検知されると、トランジスタＴｒ１０に加えてトランジスタＴｒ２０にＨｉレベルの点灯信号Ｂが入力されて、トランジスタＴｒ１０に加えてトランジスタＴｒ２０がオン状態となる。この際、トランジスタＴｒ３０は、オフ状態となっている。これにより、電流が発光素子ＬＥＤ１０及び２０に電流が流れて、発光素子ＬＥＤ１０及び２０が発光する。
【０１０１】
また、人体検知センサ６０１によって検知エリア１−３で物体が検知されると、トランジスタＴｒ１０及び２０に加えてトランジスタＴｒ３０にＨｉレベルの点灯信号Ｃが入力される。これにより、トランジスタＴｒ１０及びＴｒ２０に加えてトランジスタＴｒ３０がオン状態となる。その結果、発光素子ＬＥＤ１０、２０及び３０に電流が流れて、発光素子ＬＥＤ１０、２０および３０が発光する。
【０１０２】
つまり、物体が画像形成装置１００に近づくにつれて、発光素子ＬＥＤの発光個数が多くなる。そして、物体が画像形成装置１００に近づくにつれて、節電ボタン５１２から離れる発光素子ＬＥＤから順に点灯する。
【０１０３】
第３実施形態では、ユーザが画像形成装置１００に近づくにつれて節電ボタン５１２の発光個数が多くなり、且つ、節電ボタン５１２から離れる発光素子ＬＥＤから順に点灯するので、ユーザは、節電ボタン５１２の位置を容易に把握することができる。これにより、画像形成装置１００が自動的に通常電力状態に復帰しない場合でも、通常電力状態に移行させるための節電ボタン５１２を探すことなく、ユーザは当該節電ボタン５１２を押下することができる。
【０１０４】
＜第４実施形態＞
上記した第１−第３実施形態では、画像形成装置１００が自動的に通常電力状態に復帰しないときに、次にユーザが操作すべき節電ボタン５１２をユーザに認識させるために、節電ボタン５１２の内部や周囲に発光素子ＬＥＤを配置する例について説明した。この第４実施形態では、画像形成装置１００が自動的に通常電力状態に復帰しないときに、次にユーザが操作すべきＮＦＣ部７００をユーザに認識させるために、ＮＦＣ（Ｎｅａｒ  Ｆｉｅｌｄ  Ｃｏｍｍｕｎｉｃａｔｉｏｎ）部７００を発光させる。
【０１０５】
図１６に示すように、第４実施形態の画像形成装置１００は、上記したプリンタ部１０２やスキャナ部１０３等に加えて、ＮＦＣ部７００を備えている。
【０１０６】
ＮＦＣ部７００は、携帯端末やカード（以下、携帯端末等とする）から、当該携帯端末等に記憶される情報を読み取る。当該携帯端末等には、画像形成装置１００を使用するユーザの認証情報が記憶されており、ＮＦＣ部７００は、当該携帯端末等から認証情報を取得する。第４実施形態の画像形成装置１００では、ＮＦＣ部７００の内部に発光素子ＬＥＤが配置される。そして、人体検知センサ６０１が検知エリア１で物体を検知した場合に、当該発光素子ＬＥＤが発光する。これにより、ＮＦＣ部７００の携帯端末等が近接される部分が発光される。
【０１０７】
第４実施形態の画像形成装置１００によれば、画像形成装置１００に近接するユーザが次に操作すべきＮＦＣ部の位置を容易に認識することができる。
【０１０８】
なお、第４実施形態では、ＮＦＣ部７００について説明したが、ＮＦＣ部７００はカードリーダ部であっても良い。ＮＦＣ部７００に加えて、上記した節電ボタン５１２を発光させても良い。
【０１０９】
また、第４実施形態において、図１７に示すように、画像形成装置１００にユーザが近づくにつれてＮＦＣ部７００の輝度が段階的に大きくなっても良い。
【０１１０】
＜その他の実施形態＞
以上、本発明の好適な実施形態に基づいて詳述してきたが、本発明はこれら特定の実施形態に限られるものではなく、この発明の要旨を逸脱しない範囲の様々な形態も本発明に含まれる。また、上述の実施形態の一部を適宜組み合わせてもよい。
【０１１１】
例えば、上記実施形態では、ＬＥＤの発光によって節電ボタン５１２やＮＦＣ部７００を強調する例について説明したが、本発明これに限定されない。例えば、検知エリア１で物体が検知された場合に、ブザー５２６により音を出力しても良い。
【０１１２】
また、上記実施形態では、複数の機能を有するＭＦＰに本発明を適用する例について説明した。本発明はこれに限らず、スキャナ機能、プリント機能およびファックス機能の中の１つの機能を有する単機能のＳＦＰ（Ｓｉｎｇｌｅｆｕｎｃｔｉｏｎ  Ｐｅｒｉｐｈｅｒａｌ）に本発明を適用しても良い。
【０１１３】
また、上記実施形態では、物体（静止体または移動体）から放射される赤外線を検知する赤外線センサを用いる例について説明したが、本発明はこれに限らず、物体の移動を検知するセンサを用いても良い。なお、物体の検知方法についてはこれに限定されない。
【０１１４】
また、上記実施形態では、省電力状態でプリンタ部１０２およびスキャナ部１０３への電力供給を停止する例について説明したが、本発明では、省電力状態でプリンタ部１０２およびスキャナ部の両方への電力供給が停止されなくても良い。具体的には、省電力状態でプリンタ部１０２への電力供給が停止され且つスキャナ部１０３への電力供給が維持されても良い。また、省電力状態でスキャナ部１０３への電力供給が停止され且つプリンタ部１０２への電力供給が維持されても良い。
【０１１５】
本実施形態におけるフローチャートに示す機能は、ネットワーク又は各種記憶媒体を介して取得したソフトウエア（プログラム）をコンピュータパソコン等の処理装置（ＣＰＵ、プロセッサ）にて実行することでも実現できる。
【０１１６】
本発明は上記実施の形態に制限されるものではなく、本発明の精神及び範囲から離脱することなく、様々な変更及び変形が可能である。従って、本発明の範囲を公にするために以下の請求項を添付する。
【符号の説明】
【０１１７】
１００  画像処理装置
３１２  電源制御部
５１２  節電ボタン
５１３  人感ＬＥＤ部
６００  センサ部
ＬＥＤ  発光素子
【図１】
0006494593.tif 000002
【図２】
0006494593.tif 000003
【図３】
0006494593.tif 000004
【図４】
0006494593.tif 000005
【図５】
0006494593.tif 000006
【図６】
0006494593.tif 000007
【図７】
0006494593.tif 000008
【図８】
0006494593.tif 000009
【図９】
0006494593.tif 000010
【図１０】
0006494593.tif 000011
【図１１】
0006494593.tif 000012
【図１２】
0006494593.tif 000013
【図１３】
0006494593.tif 000014
【図１４】
0006494593.tif 000015
【図１５】
0006494593.tif 000016
【図１６】
0006494593.tif 000017
【図１７】
0006494593.tif 000018